(57)【要約】【課題】本発明は、クランプ部材の材質や大きさ等の制限に左右されることのないクランプ装置によりタンク部とヘッド部との位置決めを容易に行うことで、ダクトホースの接続部とスイッチ面とを常に合わせることができる集塵機の操作性及び作業性の向上を図ることである。【解決手段】ヘッド部４の側面方向に伸びる突起部８を形成し、クランプ装置９付近の両側或いは片側に設けた上記突起部８によりクランプ装置９を保護するように構成する。【選択図】　　　図１
2004073686.tif 000002
【特許請求の範囲】
【請求項１】
駆動源であるモータと、該モータによって回転される集塵ファンと、該ファンを収容するヘッド部と、該ヘッド部に設け且つ前記モータを制御するためのスイッチと、該スイッチを有する前記ヘッド部の下方に位置し且つ前記集塵ファンにより搬送される粉塵を収納するためのタンク部と、該タンク部の接続部に取り付けられるダクトホースとを備えた集塵機において、前記タンク部に対して前記ヘッド部を任意の箇所に位置決めするため前記ヘッド部に前記クランプ装置を案内する突起部を設けることを特徴とする集塵機。
【請求項２】
前記突起部は、前記クランプ装置を案内するため前記ヘッド部の側面に沿って突出することを特徴とする請求項１記載の集塵機。
【請求項３】
前記突起部は、前記クランプ装置の両側に突出しており、更に前記クランプ装置の幅より大きい突出量を有していることを特徴とする請求項１又は請求項２何れか記載の集塵機。
【請求項４】
前記突起部は、前記クランプ装置の片側に突出しており、更に前記クランプ装置の幅より大きい突出量を有していることを特徴とする請求項１又は請求項２何れか記載の集塵機。
【請求項５】
駆動源であるモータと、該モータによって回転される集塵ファンと、該ファンを収容するヘッド部と、該ヘッド部に設け且つ前記モータを制御するためのスイッチと、該スイッチを有する前記ヘッド部の下方に位置し且つ前記集塵ファンにより搬送される粉塵を収納するためのタンク部と、該タンク部の接続部に取り付けられるダクトホースとを備えた集塵機において、前記ヘッド部に前記クランプ装置を収容するための凹部を設けることを特徴とする集塵機。
【請求項６】
前記凹部により前記クランプ装置が保護されることを特徴とする請求項５記載の集塵機。
【発明の詳細な説明】
【０００１】
【発明の属する技術分野】
本発明は、吸引した粉塵等を溜めるためのタンク部と、モータ等を収納するヘッド部とが着脱可能な可搬形の集塵機に関するものであり、特に上記集塵機のタンク部に対するヘッド部の位置決め構造、及びヘッド部とタンク部とを固定・解除するためのクランプ装置の保護構造に関するものである。
【０００２】
【従来の技術】
従来の集塵機を図５〜図７を用いて説明する。図５は従来の集塵機を示す正面図、図６は図５に示す集塵機の左側面図、図７は図６に示す集塵機の平面図である。図５〜図７に示すように一般的な可搬形の集塵機は、図示しないダクトホース内を通り搬送されてくる粉塵や液体等を収納するためのタンク部５を有していると共に、このタンク部５に対して駆動源であるモータ等を有するヘッド部４が着脱可能に設けられており、タンク５内に溜まった粉塵等はタンク部５に対してヘッド部４を離脱した後に廃棄できるよう構成されている。
【０００３】
上記ヘッド部４には、モータにより回転される集塵ファン及び当該モータの起動・停止を行うスイッチ３等が設けられており、更にヘッド部４はモータと集塵ファンの形状により上方から見てほぼ円形状になっていると共に、ヘッド部４に対応してタンク部５上方の開口部もほぼ円形状になっている。
【０００４】
また、タンク部５には、ヘッド部４を固定・解除するためのクランプ装置９、粉塵等を搬送するためのダクトホースを着脱可能な接続部７等が設けられている。
【０００５】
このような構成において、スイッチ３をオンするとモータにより集塵ファンが回転し、タンク部５を介してダクトホース内に吸引力が生じ、この吸引力を利用してダクトホース内を通り粉塵等がタンク部５内に搬送され収納される。そして、タンク部５内の集塵等を廃棄する場合には、クランプ装置９を解除してヘッド部４を上方に持ち上げタンク部５から取り外し、タンク部５を横転させて溜まった粉塵等を廃棄している。廃棄後は立て直したタンク部５にヘッド部４を載置しクランプ装置９で自由な位置に固定している。
【０００６】
しかし、上述した集塵機において、作業者がタンク部５にヘッド部４を載置した場合、スイッチ３を有するほぼ円形のヘッド部４の回転方向を規制するものがないため、タンク部５のダクトホース接続部７とヘッド部４のスイッチ３取り付け面とが同一直線上に位置することが殆どなく、また作業者も意識して合わせることなく無意識のうちに組み込んでしまっているのが現状である。このためヘッド部４とタンク部５の組立後、集塵作業を行う時に作業者側にスイッチ３面が向いていないことに気づき、即ちダクトホースで集塵機本体を引きながら作業することからダクトホース接続側が作業者位置となるため、この位置にスイッチ３面がないと作業者は集塵機本体の後方に回り込んでスイッチ３を操作しなければならなかった。つまり、作業開始、途中中断、終了時の都度、スイッチ３を操作する必要があるため、適正な位置にスイッチ３面がないとスイッチ３のオン／オフに手間を要するため、操作性及び作業性の低下を招いてしまうという問題があった。
【０００７】
また、タンク部５にヘッド部４を固定・解除するための樹脂性クランプ装置９は、ヘッド部４及びタンク部５が上方から見てほぼ円形状に形成されていることから、必然的にクランプ装置９がヘッド部４及びタンク部５の外側面に突出して設けられている。このため、集塵機の転倒時等にクランプ装置９が破損しないように、クランプ装置９の幅を狭くしたり、更にはクランプ９装置のクランプ部材の材質を細いピアノ線にしたりしてして突出量を少なくしていた。
【０００８】
【発明が解決しようとする課題】
上述したように従来の集塵機には、タンク部に対してヘッド部を任意の箇所に位置決めするための手段がなかったため、タンク部に設けたダクトホースの接続部とヘッド部に設けたスイッチ面とが同一直線上に位置しない場合が多々あり、ダクトホース接続側にいる作業者がオン／オフ操作を行う場合にダクトホースの接続部側にスイッチ面がなく、わざわざ集塵機本体の後方に回り込んでスイッチを操作しなければならず、スイッチ３のオン／オフに手間を要するため、操作性及び作業性の低下を招いてしまうという問題があった。
【０００９】
また、上述したように従来の集塵機では、転倒時におけるクランプ装置の破損を低減するためにできるだけヘッド部４及びタンク部５の外側面に突出しないようクランプ部材の材質や大きさ等に制限を設けていたため、デザインを含むクランプ装置の設計に自由度がないという問題があった。
【００１０】
本発明の目的は、上記問題を解消し、クランプ部材の材質や大きさ等の制限に左右されることのないクランプ装置によりタンク部とヘッド部との位置決めを容易に行うことで、ダクトホースの接続部とスイッチ面とを常に合わせることができる集塵機の操作性及び作業性の向上を図ることである。
【００１１】
【課題を解決するための手段】
上記目的は、駆動源であるモータと、モータによって回転される集塵ファンと、ファンを収容するヘッド部と、ヘッド部に設け且つ前記モータを制御するためのスイッチと、スイッチを有するヘッド部の下方に位置し且つ集塵ファンにより搬送される粉塵を収納するためのタンク部と、タンク部の接続部に取り付けられるダクトホースとを備えた集塵機において、タンク部に対してヘッド部を任意の箇所に位置決めするためヘッド部にクランプ装置を案内する突起部を設けることにより達成される。
【００１２】
また、上記目的は、駆動源であるモータと、モータによって回転される集塵ファンと、ファンを収容するヘッド部と、ヘッド部に設け且つモータを制御するためのスイッチと、スイッチを有するヘッド部の下方に位置し且つ集塵ファンにより搬送される粉塵を収納するためのタンク部と、タンク部の接続部に取り付けられるダクトホースとを備えた集塵機において、ヘッド部にクランプ装置を収容するための凹部を設けることにより達成される。
【００１３】
【発明の実施の形態】
本実施例における集塵機を図１〜図４を用いて説明する。図１は本実施例における集塵機の一例を示す正面図、図２は図１に示す集塵機の左側面図、図３は図１に示す集塵機の右側面図、図４は図３に示す集塵機の平面図である。
【００１４】
図１〜図４において、集塵機は、駆動源であるモータ１と、このモータ１に直結された集塵ファン２及び上記モータの起動・停止を行うスイッチ３を有するヘッド部４と有しており、このヘッド部４はモータ１と集塵ファン２の形状により上方から見てほぼ円形状をしている。円形状をしたヘッド部４の下部には集塵した液体或いは粉塵等を溜めるためのタンク部５が配置されており、このタンク部５には粉塵等を搬送するためのダクトホース６を着脱する接続部７が適所に設けられている。また、上記ヘッド部４下端の一部は下方に向けて突出するほぼＵ字形に形成されており、これに対してタンク部５に設けたダクトホース６を着脱する接続部７上端の一部をＵ字形に合わさる、即ちＵ字形にならう凹部形状（Ｕ字溝）となっている。そして前記Ｕ字形の突出部と前記凹部形状は、同一直線上に位置するようヘッド部４及びタンク部５のそれぞれに形成されている。なお、ヘッド部４とタンク部５とを同位置に合わせるための形状として、上記ヘッド部４の下端の一部を上方に向けて逆Ｕ字形を形成させ、これにタンク部５に設けたダクトホース６を着脱する接続部７の上端部形状を逆Ｕ字形に合わせても良い。つまり、Ｕ字形の向きが逆に設けられていても同様の効果を得ることができる。更に、上述したＵ字形以外にＶ字形であっても良く、この他以外の形状であっても上記効果を奏する形状であれば足りる。また、ヘッド部４或いはタンク部５を形成する部材により一体的に突出部或いは凹部形状を形成する実施例について説明したが、上記突出部或いは凹部形状は、ヘッド部４或いはタンク部５を形成する部材とは別の部材で形成しても良い。
【００１５】
また、タンク部５にはヘッド部４を固定・解除するため複数のクランプ装置９が設けられていると共に、クランプ装置９の両側にはヘッド部４の側面方向に伸び且つ上記クランプ装置９を保護するための突起部８（保護壁）が形成されている。この突起部８とクランプ装置９の位置を合わせることで、ダクトホース６の接続部７とスイッチ３面とが合うように構成されている。なお、上記突起部８は上記クランプ装置の幅より大きい突出量を有している。
【００１６】
上記構成において、スイッチ３をオンするとモータ１が起動し、集塵ファン２が回転するためタンク部５を介してダクトホース６内に吸引力が発生する。粉塵等はこの吸引力によりダクトホース６を介してタンク部５内に搬送される。タンク部５内の集塵等を廃棄する場合には、クランプ装置９を解除してヘッド部４を上方に持ち上げタンク部５から取り外し、タンク部５ごと横に倒して溜まった粉塵等を廃棄することができる。廃棄後はタンク部５にヘッド部４を載置しクランプ装置９で固定するのだが、この時、上述した突起部８を目安にタンク部５に固着したクランプ装置９と突起部８の位置を合わせることで、突起部８が案内部となり、タンク部５の接続部７の位置とヘッド部４のスイッチ３面とを常に同位置に合わせた状態（適正な状態）でクランプ装置９により確実に固定することができる。また、上述した互いのＵ字形８が合わさることで適正な位置にクランプ装置９により固定される。
【００１７】
よって、常にスイッチ３面が作業者側に位置するため、スイッチ３の操作性が良く、作業性の向上が図れる。
【００１８】
また、クランプ装置９の外周をカバーする突起部８が伸びているため、集塵機本体が転倒してしまった場合などに突起部８がクランプ装置９を確実に保護するため、クランプ装置９が破損してしまうことを確実に防ぐことができる。特に大型のクランプ装置９の場合、従来であれば突出量が大きかったため、横転時の衝撃を受け易く破損してしまう場合があったがためにクランプ部材の材質や大きさ等に制限が設けられていたが、本実施例ではクランプ装置９が破損しないように突起部８で強固にガードしているため、上述したクランプ部材の材質や大きさ等の制限にとらわれることがなくなり様々な形状のクランプ装置９を使用することができ、ひいてはクランプ装置９を含む集塵機のデザイン性向上を図ることができる。また、上述した実施例ではクランプ装置９の両側に突起部８を設けていたが、特に両側にこだわることなくそれぞれのクランプ装置９の片側に突起部８を設けクランプ装置９の破損防止を図っても良い。
【００１９】
なお、クランプ装置９の保護構造として上述したようにクランプ装置９の外周をカバーする突起部８を設ける構成について説明したが、クランプ装置９の保護構造として円形状のヘッド部４のクランプ装置９付近を凹形状とし、この凹形状内にクランプ装置９が出張らないように配置する構成としても上記同様の効果を得ることができる。つまり、凹部内に収容されることによりクランプ装置９が保護されるため、横転時の衝撃をクランプ装置９が受けずに済む構成となっている。
【００２０】
【発明の効果】
本発明によれば、ヘッド部の側面方向に突起部を形成し、該突起をクランプ装置付近の両側或いは片側に形成し、ヘッド部の突起部とタンク部に固着したクランプ装置の位置合わせできるようにしたので、常にスイッチ面がタンク部のダクトホースを着脱する接続部面と一致するため、スイッチ面が作業者側を向いているので、スイッチの操作性及び作業性の向上を図ることである。また、突起部によりクランプ装置がへこんでいるため、転倒時におけるクランプ装置の破損を防ぐことができると共に、ヘッド部に突起部を形成するだけで敢えて別部品を追加することなくクランプ装置の保護が行えるため安価な集塵機を提供することができる。
【図面の簡単な説明】
【図１】本発明になる集塵機の一例を示す正面図である。
【図２】図１に示す集塵機の左側面図である。
【図３】図１に示す集塵機の右側面図である。
【図４】図３に示す集塵機の平面図である。
【図５】従来の集塵機を示す正面図である。
【図６】図５に示す集塵機の左側面図である。
【図７】図６に示す集塵機の平面図である。
【符号の説明】
１はモータ、２は集塵ファン、３はスイッチ、４はヘッド部、５はタンク部、６はダクトホース、７は接続部、８は突起部、９はクランプ装置である。
【図１】
2004073686.tif 000003
【図２】
2004073686.tif 000004
【図３】
2004073686.tif 000005
【図４】
2004073686.tif 000006
【図５】
2004073686.tif 000007
【図６】
2004073686.tif 000008
【図７】
2004073686.tif 000009